(57)【特許請求の範囲】
【請求項１】
短縮ダイヤル、ワンタッチダイヤル機能による電話番号が登録される記憶手段と、
電話番号一括変換の操作画面を操作して電話番号の変更後パターンと桁数を入力する入力手段と、
入力された変更後パターンにより前記登録された電話番号の変更前パターンを検索し、その際、両パターンの先頭から前記桁数の部分について一致するものを検索し、一致した変更前パターンを変更後パターンに一括変換する変換手段と、
短縮ダイヤル、ワンタッチダイヤル機能による電話番号を登録する際、登録しようとする電話番号を用いて前記変換手段で過去に一括変換したパターンを検索し、一致した場合は変換するか否かをユーザに問い合わせる問い合わせ手段と、
を設け、
前記変換手段は、前記問い合わせ手段がユーザから変換する旨の応答を受けた場合に前記過去のパターンへの変換を行うことを特徴とする通信装置。
【請求項２】
前記問い合わせ手段は、発呼エラーとなったとき、その発呼電話番号のパターンにより一括変換されたパターンを検索し、一致した場合は変換するか否かをユーザに問い合わせることを特徴とする請求項１記載の通信装置。
【請求項３】
前記変換手段により変換されたデータが仮に登録される仮登録手段を設け、全ての変換が正しく行われたとき、前記仮登録手段に仮に登録されたデータを前記記憶手段に登録することを特徴とする請求項１または２に記載の通信装置。
【発明の詳細な説明】
【０００１】
【発明の属する技術分野】
本発明は、短縮ダイヤル、ワンタッチダイヤル等の機能を有するファクシミリ装置、電話機等の通信装置に関し、特に、電話番号の変更に対応できる通信装置に関する。
【０００２】
【従来の技術】
過去において電話番号が変更されたことがしばしばあり、将来も変更されることが予想される。過去の例では次のものがある。
・国際電話が００１が００３３、００４０になる（新サービス会社追加による）。
・国内電話が００８８、００７７になる（新サービス会社追加による）。
・東京、大阪で市内局番が３桁から４桁になる（市内局番１桁追加）。
・市内局番が２桁から３桁になる（市内局番１桁追加）。
・携帯電話番号が９桁から１０桁になる（番号桁数追加）。
・マイライン、マイラインプラスと称される電話会社選択サービス、電話会社固定サービスにより電話会社の識別番号を削除する。
【０００３】
【発明が解決しようとする課題】
上記のように電話番号が変更されると、短縮ダイヤルやワンタッチダイヤル等の登録変更をしなければならず、その場合、複数の相手先ごとに１つずつ変更しなければならないという問題があった。
なお、特開平１１−２３４４４７号公報には、ユーザ操作により自局情報の変更、メーカ初期値への一括変更、ダイヤル情報の一括削除を行う技術が開示されている。
【０００４】
本発明は上記の問題を解決するためになされたもので、簡単な操作により全ての相手先について一括変換できるようにすることを目的としている。
【０００５】
【課題を解決するための手段】
上記の目的を達成するために、本発明による通信装置においては、短縮ダイヤル、ワンタッチダイヤル機能による電話番号が登録される記憶手段と、電話番号一括変換の操作画面を操作して電話番号の変更後パターンと桁数を入力する入力手段と、入力された変更後パターンにより前記登録された電話番号の変更前パターンを検索し、その際、両パターンの先頭から前記桁数の部分について一致する部分を検索し、一致した変更前パターンを変更後パターンに一括変換する変換手段と、短縮ダイヤル、ワンタッチダイヤル機能による電話番号を登録する際、登録しようとする電話番号を用いて前記変換手段で過去に一括変換したパターンを検索し、一致した場合は変換するか否かをユーザに問い合わせる問い合わせ手段と、を設け、前記変換手段は、前記問い合わせ手段がユーザから変換する旨の応答を受けた場合に前記過去のパターンへの変換を行うように構成している。
【０００６】
【発明の実施の形態】
以下、本発明の実施の形態を図面と共に説明する。
図１は本発明の実施の形態による通信装置としてのファクシミリ装置の構成例を示すブロック図である。
図１において、システム制御部１は、各部の制御処理およびファクシミリ電送制御手順を行う。システムメモリ２は、システム制御部１がプログラムを実行するときに、必要なデータ等を記憶したりワークエリアとして利用するＤＲＡＭである。スキャナ３は、所定の解像度で原稿を読み取る。プロッタ４は、所定の解像度で画像またはリスト・レポート類を印刷する。読出専用メモリ（ＲＯＭ）５は、プログラムや各種テーブルを格納する領域である。書込可能不揮発メモリ（ＳＲＡＭ）６は、システム制御上必要なパラメータやユーザ操作等で得られる登録データを格納する。
【０００７】
網制御部７は、公衆電話回線網に接続するもので、自動発信機能を持つ。Ｇ３ＦＡＸモデム８は、グループ３ファクシミリのモデム機能を実現するものである。画像メモリ９は、必要に応じて送信画像や受信画像を記憶しておく。符号化復号化部１０は、生画像を定められた符号に圧縮したり、符号化された画像を元の生画像に伸長するものである。操作表示部１１は、通信操作や登録操作等を行うもので、各種のキーや表示器から構成される。バスライン１２は、上記の各部を接続する。
【０００８】
次に動作について説明する。
・ＦＡＸ番号の登録
システム制御部１は、読出専用メモリ５から読み出したプログラムに従って操作表示部１１からボタンデータを取り込み、ＬＣＤに情報を表示しユーザを誘導しながら書込可能不揮発メモリ６に書き込む。登録する内容は、相手先番号、相手先名称等である。
【０００９】
・登録したＦＡＸ番号を使った発呼
システム制御部１は、読出専用メモリ５から読み出したプログラムに従って書込可能不揮発メモリ６から相手先番号を読み出し、Ｇ３ＦＡＸモデム８は、網制御部７を通じて公衆回線網（ＰＳＴＮ）または構内回線（ＰＢＸ）に発呼する。
【００１０】
・直接送信の流れ
スキャナ３に原稿を置いて、操作表示部１１から登録したＦＡＸ番号を使った発呼を行う。相手とつながったらスキャナ３で原稿を読取り、システムメモリ２中に存在するラインバッファに画情報を入れる。符号化復号化部１０は、ラインバッファに入っている画情報を読出し、圧縮してＧ３ＦＡＸモデム８に圧縮データを送る。Ｇ３ＦＡＸモデム８は網制御部７を通じて圧縮データを送る。
【００１１】
・メモリ送信の流れ
スキャナ３に原稿をおいて、操作表示部１１から登録したＦＡＸ番号を使ったメモリ送信を書き込み可能不揮発メモリ６に登録する。システム制御部１は、読出専用メモリ５から読み出したプログラムに従って書き込み可能不揮発メモリ６に登録されたメモリ送信を蓄積と送信に分けて実行する。
【００１２】
・蓄積の流れ（メモリ送信）
スキャナ３で原稿を読取り、システムメモリ２中に存在するラインバッファに画情報を入れる。符号化復号化部１０は、ラインバッファに入っている画情報を読出し、圧縮して画像メモリ９に記憶する。圧縮モード、読み取り線密度等の情報は書込可能不揮発メモリ６に記憶する。
【００１３】
・送信の流れ（メモリ送信）
相手とつながったら、書込可能不揮発メモリ６に記憶した圧縮モード、線密度に従って画像メモリ９に記憶した圧縮データを符号化復号化部１０によりシステムメモリ２上のラインバッファに生データに変換する。符号化復号化部１０は、ラインバッファに入っている画情報を読出し、相手機の圧縮モード、線密度により圧縮して、Ｇ３ＦＡＸモデム８に圧縮データを送る。Ｇ３ＦＡＸモデム８は、網制御部７を通じて圧縮データを送る。
【００１４】
次に、第１の実施の形態による一括変換について図２を参照して説明する。
本実施の形態は、市外局番０４２７が０４２に変更されると共に、市内局番４１が７４１に変更された場合である。例えば、最初の登録が０４２７−４１１１１１となっていた場合は、これを０４２−７４１１１１１に変更する。
【００１５】
図２において、一括変換パターン入力画面でＹｅｓキーを押す。次に、変換前パターンとして０４２７−を入力した後、Ｙｅｓキーを押して確定する。次に、変更後パターンとして０４２−７を入力した後、Ｙｅｓキーを押して確定する。最後に０４２７−を０４２−７に変更していいかを確認し、ＯＫならＹｅｓキーを押す。これにより、全ての電話番号が１つずつ検索されて、同じ市外局番および市内局番をもつ電話番号が自動的に一括変更される。
【００１６】
本実施の形態によれば、一括変換のための操作画面を所持し、変更前パターンに対して変更後パターンを登録することにより、電話番号が変わっても、相手先を一つずつ登録変更することなく、一括変換して変更作業を効率化することができる。
【００１７】
次に、第２の実施の形態について説明する。
上述した第１の実施の形態において一括変換を実施した場合、先頭以外を変換すると誤変換が起こる可能性があるので、先頭からのみ変換パターンとして検索するようにしたものである。
【００１８】
第２の実施形態の動作について、図３を参照して説明する。
この例は、市外局番０４２７が０４２に変更されると共に、市内局番４１が７４１に変更された場合である。ここでは、市内局番に対する登録データの変換について述べる。例えば、最初の登録が４１１１１１となっていて、これを７４１１１１１に変更する。
【００１９】
図３において、一括変換パターン入力画面でＹｅｓキーを押す。次に、変換前パターンとして４１を入力した後、Ｙｅｓキーを押して確定する。次に、変更後パターンとして７４１を入力した後、Ｙｅｓキーを押して確定する。最後に４１→７４１に変換していいかを確認し、ＯＫならＹｅｓキーを押す。
【００２０】
ここで、先頭のパターンだけを検索しないと誤発呼の原因になることについて説明する。
０４２７４１１１１１が市外局番から登録されていたとすると、４１を７４１に変換するので、０４２７４１１１１１が０４２７７４１１１１１と別の番号になってしまい、誤発呼の原因となる。従って、先頭から一致する部分のみについてパターン検索が必要である。
例えば４１３２４３→７４１３２４３の変更をしたい場合、０４１３２４３１１１→０７４１３２４３１１１と登録する。
【００２１】
第２の実施の形態によれば、途中の一致を検出してしまうと誤検出する可能性があるので、先頭から一致するもののみを検索して一括で変更することにより変更作業を効率化することができる。
【００２２】
次に、第３の実施の形態について説明する。
上記第２の実施の形態においては、一括変換を実施する場合、桁数を指定しないと誤変換が起こる可能性があるので、本情報においては、桁数を指定して変換する。
【００２３】
第３の実施形態の動作について、図４を参照して説明する。
この例は、市外局番０４２７が０４２に変更されると共に、市内局番４１が７４１に変更された場合である。ここでは市内局番に対する登録データの変換について述べる。例えば最初の登録が４１１１１１となっていて、これを７４１１１１１に変更する。
【００２４】
図４において、一括変換パターンを入力でＹｅｓキーを押す。次に、変換前パターンとして４１を入力した後、Ｙｅｓキーを押して確定する。次に、変換前桁数として６を入力した後、Ｙｅｓキーを押して確定する。次に、変更後パターンとして７４１を入力した後、Ｙｅｓキーを押して確定する。最後に４１→７４１に変換していいかを確認してＯＫならＹｅｓキーを押す。
【００２５】
ここで、桁数を指定しないで検索すると誤発呼の原因になることについて説明する。
０４２７４１１１１１が市外局番から登録されていたとすると、４１を７４１に変換するので、０４２７４１１１１１が０４２７７４１１１１１と別の番号になってしまい、誤発呼の原因となる。従って、両パターンの桁数が一致した部分についての検索が必要である。
【００２６】
第３の実施の形態によれば、途中の一致を検出してしまうと誤検出する可能性があるので、桁数を指定することにより、桁数まで含めた先頭からの一致するものを検索して一括変換することにより、変更作業を効率化することができる。
例えば、６桁の４１３２４３→７桁の７４１３２４３の変更をしたいときに、１０桁の０４１３２４３１１１→１１桁の０７４１３２４３１１１となる。
【００２７】
次に、第４の実施の形態について説明する。
図５は登録時に過去に変換したパターンが含まれていた場合に、ユーザに変換してもいいか否かを問い合わせる処理を表示画面の推移を用いて示す図であり、第２の実施の形態における先頭からの検索、第３の実施の形態におけるの桁数指定の検索も含んだパターンで実施する。
【００２８】
この例は、市外局番０４２７が０４２に変更されると共に、市内局番４１が７４１に変更された場合である。ここでは、市内局番に対する登録データの変換について述べる。例えば、最初の登録が４１１１１１となっていて、これを７４１１１１１にする。
【００２９】
図５において、ワンタッチダイヤル登録画面で４１１１１１を登録しようとする。ここでＹｅｓキーを押したときに過去に一括変換したパターンを検索して一致したものがあれば、変換するかの問い合わせを行う。そこでＹｅｓキーが押されたら変換するが、Ｎｏキーが押されたら入力されたまま、つまり４１１１１１で登録する。
【００３０】
第１の実施の形態においては、一括変換した後に間違えて新規登録した時にそのままになるが、本実施の形態においては、登録時に過去のパターンに一致するかを確認するための表示を出し、変換することを確認してから一括変換している。即ち、過去に変換したパターンを記憶しておき、新規登録時にそのパターンと一致した場合は、変更するかをユーザに問い合わせる画面を警告として表示することにより、間違えて新規登録された変更前パターンが登録されることを防ぐことができる。
【００３１】
次に、第５の実施の形態について説明する。
本実施の形態は、直接送信時またはメモリ送信時に、短縮ダイヤルやワンタッチダイヤル等の登録されているダイヤルを利用せずに、テンキーで相手先番号を入力し、相手と正常交信できずにリダイヤル待機になったときに、過去に一括変換したパターンを検索して一致したパターンがあった場合には、ユーザに変換してもいいかを問い合わせるものである。
【００３２】
図６は、第５の実施形態による処理を表示画面の推移を用いて示す図である。図６において、テンキー入力により４１１１１１で発呼するが相手先が応答しない。そのとき、リダイヤル待機中になる。ここで、過去に一括変換したパターンの４１→７４１を検索して、リダイヤル待機中の表示と変換するかの問い合わせ画面を一定時間ごとに交互表示する。ここでＹｅｓキーを押すと、４１１１１１を７４１１１１１に変換して、リダイヤル待機中となり、一定時間後に７４１１１１１で再発呼する。Ｎｏキーを押した場合は、４１１１１１でリダイヤル待機中となり、一定時間後に再発呼する。何も操作しないと４１１１１１でリダイヤル待機中となり、一定時間後に再発呼する。
【００３３】
本実施の形態によれば、発呼時にエラーが起こったときに過去に変換したパターンと一致したものは変換する必要がある候補として変更するかをユーザに問い合わせてユーザに警告を表示することにより、過去の変更前のパターンで再発呼すること、およびリダイヤルバッファに間違えて新規登録されることを防ぐことができる。
【００３４】
次に、第６の実施の形態について説明する。
第１〜３の実施の形態においては、一括変換を実施して間違えてしまったときに元に戻すことができない。
【００３５】
そこで、本実施の形態においては、画像メモリ９の空きエリアに仮の変換後パターンのデータを保持しておく（仮登録手段に仮にデータを登録しておく）。そして図７に示すように、全ての変換が終わったところで（Ｎｏを押す）、画像メモリ９の仮のデータ（仮に登録されたデータ）を書込可能不揮発メモリ６に登録し直す。即ち、非バックアップメモリ（画像メモリ９）にて一時的に編集し、全てを確認してからバックアップメモリ（書込可能不揮発メモリ６）に書き込む。バックアップメモリには限りがあるので、変換時に画像メモリ９で使用していないところを一時的に使用して変換を行い、全ての変換が正しく行われたときのみ正式にバックアップメモリに登録するようにしている。
【００３６】
本実施の形態によれば、間違えて変換した場合に元に戻すことができる。即ち、変換パターンが複数あるなど一度に多数の変換を行う際に、変換を失敗した場合に元に戻して再変換を行うことができる。
【００３７】
以上説明した各実施の形態は、本発明をファクシミリ装置に適用した場合であるが、本発明は、通常の電話機、携帯電話機等にも適用することができる。
【００３８】
【発明の効果】
以上の説明により明らかなように、本発明の通信装置によれば、一括変更のための操作画面を所持し、変更前パターンに対して変更後パターンを登録することにより、電話番号が変わっても、相手先を一つずつ登録変更することなく、一括変換して変更作業を効率化することができる。また、その際、途中の一致を検出してしまうと誤検索する可能性があるが、両パターンにおける先頭から指定された桁数の部分について一致するものを検索して一括変換することにより、誤変換を防ぐことができる。
【００３９】
また、本発明の通信装置によれば、過去に変換したパターンを記憶しておき、新規登録時にそのパターンと一致した場合は、変更するか否かをユーザに問い合わせる画面を警告として表示することにより、間違えて新規登録された変更前パターンが登録されることを防ぐことができる。
【００４０】
また、本発明の通信装置によれば、発呼時にエラーが起こったときに過去に変換したパターンと一致したものは変換する必要がある候補として変更するかをユーザに問い合わせてユーザに警告を表示することにより、過去の変更前のパターンで再発呼すること、およびリダイヤルバッファに間違えて新規登録されることを防ぐことができる。
【００４１】
また、本発明の通信装置によれば、間違えて変換した場合に元に戻すことができる。即ち、変換パターンが複数あるなど一度に多数の変換を行う際に、変換を失敗した場合にでも元に戻して再変換を行うことができる。
【図面の簡単な説明】
【図１】本発明の実施の形態によるファクシミリ装置の構成例を示すブロック図である。
【図２】本発明の第１の実施の形態による動作を表示画面の推移を用いて示す図である。
【図３】本発明の第２の実施の形態による動作を表示画面の推移を用いて示す図である。
【図４】本発明の第３の実施の形態による動作を表示画面の推移を用いて示す図である。
【図５】本発明の第４の実施の形態による動作を表示画面の推移を用いて示す図である。
【図６】本発明の第５の実施の形態による動作を表示画面の推移を用いて示す図である。
【図７】本発明の第６の実施の形態による動作を表示画面の推移を用いて示す図である。
【符号の説明】
１  システム制御部
２  システムメモリ
３  スキャナ
４  プロッタ
５  読出専用メモリ
６  書込可能不揮発メモリ
７  網制御部
８  Ｇ３ＦＡＸモデム
９  画像メモリ
１０  符号化復号化部
１１  操作表示部
【図１】
0004522017.tif 000002
【図２】
0004522017.tif 000003
【図３】
0004522017.tif 000004
【図４】
0004522017.tif 000005
【図５】
0004522017.tif 000006
【図６】
0004522017.tif 000007
【図７】
0004522017.tif 000008